(57)【要約】【課題】  風速監視装置が二重化された風速監視システムにおいて、２台の風速監視装置に記憶される風速データに、不一致が発生することを防止すること。【解決手段】    風速監視システムは、風速値を示す風速データを風速検出装置から受け、風速データを互いに補完する第１および第２風速監視装置を有している。各風速監視装置は、風速データが記憶される記憶部、風速データ処理部および補完処理部を有している。第１風速監視装置の風速データ処理部は、風速検出装置から風速データを受信し、風速データを受信する度に、受信した風速データを第２風速監視装置に送信する。また、第１風速監視装置の補完処理部は、第２風速監視装置から風速データを受信し、第１風速監視装置の風速データ処理部が風速データを受信できない場合、第２風速監視装置から受信した風速データを、風速検出装置からの風速データとして処理する。【選択図】    図１
2011007675.tif 000002
【特許請求の範囲】
【請求項１】
風速値を示す風速データを風速検出装置から受け、前記風速データを互いに補完する第１および第２風速監視装置を備え、
前記第１風速監視装置は、
前記風速データが記憶される第１記憶部と、
前記風速検出装置から前記風速データを受信し、前記風速データを受信する度に、受信した前記風速データを前記第２風速監視装置に送信する第１風速データ処理部と、
前記第２風速監視装置から前記風速データを受信し、前記第１風速データ処理部が前記風速データを受信できない場合、前記第２風速監視装置から受信した前記風速データを、前記風速検出装置からの前記風速データとして処理する第１補完処理部とを備え、
前記第２風速監視装置は、
前記風速データが記憶される第２記憶部と、
前記風速検出装置から前記風速データを受信し、前記風速データを受信する度に、受信した前記風速データを前記第１風速監視装置に送信する第２風速データ処理部と、
前記第１風速監視装置から前記風速データを受信し、前記第２風速データ処理部が前記風速データを受信できない場合、前記第１風速監視装置から受信した前記風速データを、前記風速検出装置からの前記風速データとして処理する第２補完処理部とを備えていることを特徴とする風速監視システム。
【請求項２】
請求項１記載の風速監視システムにおいて
前記第１および第２風速監視装置は、互いに異なる通信パスを介して、前記風速検出装置から前記風速データを受信することを特徴とする風速監視システム。
【請求項３】
請求項１記載の風速監視システムにおいて
前記第１風速データ処理部は、前記第１補完処理部が前記風速データを受信する前に、前記風速検出装置から前記風速データを受信した場合、受信した前記風速データを前記第１記憶部に記憶し、
前記第１補完処理部は、前記第１風速データ処理部が前記風速データを受信する前に、前記第２風速監視装置から前記風速データを受信した場合、受信した前記風速データを前記第１記憶部に記憶し、
前記第２風速データ処理部は、前記第２補完処理部が前記風速データを受信する前に、前記風速検出装置から前記風速データを受信した場合、受信した前記風速データを前記第２記憶部に記憶し、
前記第２補完処理部は、前記第２風速データ処理部が前記風速データを受信する前に、前記第１風速監視装置から前記風速データを受信した場合、受信した前記風速データを前記第２記憶部に記憶することを特徴とする風速監視システム。
【請求項４】
請求項１記載の風速監視システムにおいて、
前記第１風速監視装置は、
前記第１風速監視装置が停止状態から動作状態に遷移したとき、停止状態の期間に対応する前記風速データの取得を要求するデータ取得要求を、前記第２風速監視装置に送信する第１データ要求部と、
前記第２風速監視装置が停止状態から動作状態に遷移したとき、前記第２風速監視装置からの前記データ取得要求に基づく前記風速データを前記第１記憶部から読み出し、読み出した前記風速データを前記第２風速監視装置に送信する第１データ送信部とを備え、
前記第２風速監視装置は、
前記第２風速監視装置が停止状態から動作状態に遷移したとき、停止状態の期間に対応する前記風速データの取得を要求するデータ取得要求を、前記第１風速監視装置に送信する第２データ要求部と、
前記第１風速監視装置が停止状態から動作状態に遷移したとき、前記第１風速監視装置からの前記データ取得要求に基づく前記風速データを前記第２記憶部から読み出し、読み出した前記風速データを前記第１風速監視装置に送信する第２データ送信部とを備えていることを特徴とする風速監視システム。
【請求項５】
風速値を示す風速データを風速検出装置から受け、前記風速データを互いに補完する２つの風速監視装置を備え、
前記各風速監視装置は、補完情報を送受信するデータ補完部と、前記風速データが記憶される記憶部とを備え、
前記２つの風速監視装置の一方が停止状態から動作状態に遷移した場合、
一方の前記風速監視装置の前記データ補完部は、停止状態の期間に対応する前記風速データの取得を要求するデータ取得要求を前記補完情報として、他方の前記風速監視装置に送信し、
他方の前記風速監視装置の前記データ補完部は、前記データ取得要求により指定された期間に対応する前記風速データを前記記憶部から読み出し、読み出した前記風速データを前記補完情報として、一方の前記風速監視装置に送信することを特徴とする風速監視システム。
【請求項６】
請求項５記載の風速監視システムにおいて、
前記２つの風速監視装置は、互いに異なる通信パスを介して、前記風速検出装置から前記風速データを受信することを特徴とする風速監視システム。
【発明の詳細な説明】
【技術分野】
【０００１】
本発明は、風速監視システムに関する。
【背景技術】
【０００２】
風速監視装置は、鉄道等の交通機関の運行制御に用いられる。例えば、風速監視装置は、各駅の機器室に設置され、河川敷やトンネル出口付近等に設置された風速計により測定された風速値を受信する。そして、例えば、電車の速度制限あるいは運行停止は、風速監視装置から得る風速情報に基づいて実施される。風速監視装置は、風の影響による脱線事故、転倒事故を防止するために、正確な風速情報を収集することが重要になる。正確な風速情報を収集するため、受信した風速値から誤った風速値を除去し、正確な風速情報を収集する風速監視装置が提案されている（例えば、特許文献１）。
【０００３】
また、風速監視装置を二重化した風速監視システムが提案されている。例えば、風速計に接続された風速検出装置は、風速計により測定された風速値に基づく風速データを風速監視システムに送信する。そして、風速監視システムは、風速検出装置から送信された風速データを２台の風速監視装置で受信する。この場合、風速監視システムの２台の風速監視装置は、互いに同じ風速データを受信する。
【先行技術文献】
【特許文献】
【０００４】
【特許文献１】特開２００８−１８５４１１号公報
【発明の概要】
【発明が解決しようとする課題】
【０００５】
風速監視装置が二重化された風速監視システムでは、一方の風速監視装置が不具合等により、風速検出装置からの風速データを受信できない場合、一方の風速監視装置に記憶される風速データと、他方の風速監視装置に記憶される風速データとが異なるおそれがある。例えば、他方の風速監視装置のみに正確な風速データが記憶され、一方の風速監視装置には、正確な風速データが記憶されないおそれがある。この場合、一方の風速監視装置を参照して実施される運行制御は、正確な風速データを使用できないため、誤った判断がされ、鉄道等の交通機関の円滑な運行を妨げる。
【０００６】
本発明の目的は、風速監視装置が二重化された風速監視システムにおいて、２台の風速監視装置に記憶される風速データに、不一致が発生することを防止することである。
【課題を解決するための手段】
【０００７】
風速監視システムは、風速値を示す風速データを風速検出装置から受け、風速データを互いに補完する第１および第２風速監視装置を有している。第１風速監視装置は、風速データが記憶される第１記憶部、第１風速データ処理部および第１補完処理部を有し、第２風速監視装置は、風速データが記憶される第２記憶部、第２風速データ処理部および第２補完処理部を有している。例えば、第１風速監視装置の第１風速データ処理部は、風速検出装置から風速データを受信し、風速データを受信する度に、受信した風速データを第２風速監視装置に送信する。また、第１補完処理部は、第２風速監視装置から風速データを受信し、第１風速データ処理部が風速データを受信できない場合、第２風速監視装置から受信した風速データを、風速検出装置からの風速データとして処理する。
【０００８】
なお、第２風速監視装置の第２風速データ処理部は、風速検出装置から風速データを受信し、風速データを受信する度に、受信した風速データを第１風速監視装置に送信する。また、第２補完処理部は、第１風速監視装置から風速データを受信し、第２風速データ処理部が風速データを受信できない場合、第１風速監視装置から受信した風速データを、風速検出装置からの風速データとして処理する。
【発明の効果】
【０００９】
本発明では、風速監視装置が二重化された風速監視システムにおいて、２台の風速監視装置に記憶される風速データに、不一致が発生することを防止できる。
【図面の簡単な説明】
【００１０】
【図１】一実施形態における風速監視システムの概要を示す図である。
【図２】図１に示した風速監視システムの動作の一例を示す図である。
【図３】図１に示した２台の風速監視装置の一方が風速データを受信できない場合の風速監視システムの動作の一例を示す図である。
【図４】図１に示した風速データ処理部の動作の一例を示す図である。
【図５】図１に示した補完処理部の動作の一例を示す図である。
【図６】別の実施形態における風速監視システムの概要を示す図である。
【図７】図６に示した２台の風速監視装置の一方が停止した場合の風速監視システムの動作の一例を示す図である。
【図８】図６に示した２台の風速監視装置の一方が再起動した場合の風速監視システムの動作の一例を示す図である。
【図９】図６に示したデータ要求部の動作の一例を示す図である。
【図１０】図６に示した風速データ処理部の動作の一例を示す図である。
【図１１】図６に示した補完処理部の動作の一例を示す図である。
【発明を実施するための形態】
【００１１】
以下、本発明の実施形態を図面を用いて説明する。
【００１２】
図１は、本発明の一実施形態を示している。風速監視システム１０は、二重化された風速監視装置２０（２０Ａ、２０Ｂ）を有している。各風速監視装置２０は、風速データ処理部３０、記憶部４０および補完処理部５０を有している。なお、風速データ処理部３０および補完処理部５０は、ソフトウエアにより実現されてもよいし、ハードウエアにより実現されてもよい。
【００１３】
風速データ処理部３０は、風速計６２が設置された各地点（地点ｍ、ｎ）の風速値を示す風速データＷＤ（ＷＤｍ、ＷＤｎ）を、各地点（地点ｍ、ｎ）の風速検出装置６０から受信する。そして、風速データ処理部３０は、風速データＷＤを受信する度に、受信した風速データＷＤを他の風速監視装置２０に送信する。例えば、風速監視装置２０Ａの風速データ処理部３０は、風速検出装置６０から受信した風速データＷＤを風速監視装置２０Ｂに送信し、風速監視装置２０Ｂの風速データ処理部３０は、風速検出装置６０から受信した風速データＷＤを風速監視装置２０Ａに送信する。
【００１４】
記憶部４０は、風速データ処理部３０および補完処理部５０に接続され、風速データＷＤを記憶する。例えば、記憶部４０は、ハードディスクや不揮発性メモリ（ＥＥＰＲＯＭ等）で構成される。なお、記憶部４０は、揮発性メモリ（ＤＲＡＭやＳＲＡＭ等）で構成されてもよい。この場合、風速監視装置２０の電源がオフした場合でも、記憶部４０の内容を保持するために、揮発性メモリに電圧が供給される必要がある。
【００１５】
補完処理部５０は、他の風速監視装置２０から風速データＷＤを受信し、風速データ処理部３０が風速データＷＤを受信できない場合、他の風速監視装置２０から受信した風速データＷＤを、風速検出装置６０からの風速データＷＤとして処理する。例えば、風速監視装置２０Ａの補完処理部５０は、風速監視装置２０Ｂから風速データＷＤを受信し、風速データ処理部３０が風速データＷＤを受信できない場合、風速監視装置２０Ｂから受信した風速データＷＤを記憶部４０に記憶する。
【００１６】
また、例えば、風速監視装置２０Ｂの補完処理部５０は、風速データ処理部３０が風速データＷＤを受信できない場合、風速監視装置２０Ａから受信した風速データＷＤを記憶部４０に記憶する。これにより、２台の風速監視装置２０は、風速データＷＤを互いに補完できる。したがって、この実施形態では、２台の風速監視装置２０に記憶される風速データＷＤを互いに一致させることができる。すなわち、この実施形態では、２台の風速監視装置２０に記憶される風速データＷＤに、不一致が発生することを防止できる。
【００１７】
風速検出装置６０は、互いに異なる通信パスを介して、風速監視装置２０Ａ、２０Ｂに風速データＷＤを送信する。すなわち、風速監視装置２０Ａ、２０Ｂは、互いに異なる通信パスを介して、風速検出装置６０から風速データＷＤを受信する。これにより、例えば、風速監視装置２０Ａおよび風速検出装置６０間の回線が断線した場合でも、風速監視装置２０Ｂおよび風速検出装置６０間の回線により、風速監視装置２０Ｂは、風速検出装置６０から風速データＷＤを受信できる。したがって、例えば、風速監視装置２０Ａおよび風速検出装置６０間の回線が断線した場合でも、風速監視装置２０Ａは、風速検出装置６０から風速監視装置２０Ｂを介して風速データＷＤを受信できる。
【００１８】
なお、風速監視装置２０Ａ、２０Ｂおよび風速検出装置６０間の通信は、例えば、風速監視装置２０が設置される機器室等から風速検出装置６０まで共通の通信パスにより、実施されてもよい。この場合でも、風速監視装置２０Ａ、２０Ｂの一方が風速検出装置６０からの風速データＷＤを受信できる状態であれば、２台の風速監視装置２０に記憶される風速データＷＤに、不一致が発生することを防止できる。
【００１９】
図２は、図１に示した風速監視システム１０の動作の一例を示している。なお、図２は、風速監視装置２０Ａ、２０Ｂの両方が風速検出装置６０からの風速データＷＤを正常に受信できる場合の風速監視システム１０の動作を示している。また、図中の実線の矢印は、着目する１つの地点（例えば、上述した図１に示した地点ｍ）の風速検出装置６０からの風速データＷＤの流れを示している。
【００２０】
風速検出装置６０は、例えば、図１に示した風速計６２により順次測定された風速値を、定期的（例えば、２５０ｍｓ周期）に受信し、集約時間（例えば、２秒）毎に最大風速値を検出する。図の例では、集約時間は、時刻ｔ２から時刻ｔ１を減算した時間である。そして、風速検出装置６０は、検出した最大風速値を、その時刻ｔ１の風速値（風速データＷＤ（ｔ１））として風速監視装置２０Ａ、２０Ｂに送信する（図２（ａ１、ｂ１））。なお、風速データＷＤ（ｔ１）は、時刻ｔ１の風速値（集約時間内の最大風速値）と、日時等の時刻情報とを有している。
【００２１】
風速監視装置２０Ａ、２０Ｂは、風速検出装置６０から受信した風速データＷＤ（ｔ１）を、図１に示したそれぞれの記憶部４０に記憶する。そして、風速監視装置２０Ａは、風速検出装置６０から受信した風速データＷＤ（ｔ１）を、風速監視装置２０Ｂに送信する（図２（ｃ１））。また、風速監視装置２０Ｂは、風速検出装置６０から受信した風速データＷＤ（ｔ１）を、風速監視装置２０Ａに送信する（図２（ｄ１））。
【００２２】
風速監視装置２０Ａは、風速監視装置２０Ｂから風速データＷＤ（ｔ１）を受信したときに（図２（ｄ１））、同じ時刻の風速データＷＤ（ｔ１）を風速検出装置６０から既に受信しているため、風速監視装置２０Ｂから受信した風速データＷＤ（ｔ１）を無視する。同様に、風速監視装置２０Ｂは、風速監視装置２０Ａから風速データＷＤ（ｔ１）を受信したときに（図２（ｃ１））、同じ時刻の風速データＷＤ（ｔ１）を既に受信しているため、風速監視装置２０Ａから受信した風速データＷＤ（ｔ１）を無視する。
【００２３】
すなわち、風速監視装置２０Ａ、２０Ｂは、同じ時刻の風速データＷＤを２回受信した場合、先に受信した風速データＷＤが記憶部４０に既に記憶されているため、後から受信した風速データＷＤを記憶部４０に記憶しない。時刻ｔ２の風速データＷＤ（ｔ２）に対しても、上述した時刻ｔ１の風速データＷＤ（ｔ１）と同様の処理が実施される（図２（ａ２、ｂ２、ｃ２、ｄ２））。
【００２４】
図３は、図１に示した２台の風速監視装置２０の一方が風速データＷＤを受信できない場合の風速監視システム１０の動作の一例を示している。なお、図２は、風速監視装置２０Ｂが風速データＷＤを受信できない場合の風速監視システム１０の動作を示している。また、図中の実線の矢印の意味は、上述した図２と同じである。なお、図中の×印は、風速監視装置２０Ｂが風速検出装置６０からの風速データＷＤを受信できないことを示している。
【００２５】
風速検出装置６０は、時刻ｔ１の風速データＷＤ（ｔ１）を風速監視装置２０Ａ、２０Ｂに送信する（図３（ａ１、ｂ１））。風速監視装置２０Ａは、風速検出装置６０から受信した風速データＷＤ（ｔ１）を、図１に示した記憶部４０に記憶する。なお、風速監視装置２０Ｂは、風速検出装置６０および風速監視装置２０Ｂ間の通信異常等により、風速検出装置６０からの風速データＷＤ（ｔ１）を受信できない（図の×印）状態である。
【００２６】
風速監視装置２０Ａは、風速検出装置６０から受信した風速データＷＤ（ｔ１）を、風速監視装置２０Ｂに送信する（図３（ｃ１））。なお、風速監視装置２０Ｂは、風速検出装置６０から風速データＷＤ（ｔ１）を受信していないため、風速データＷＤ（ｔ１）を風速監視装置２０Ａに送信しない。
【００２７】
風速監視装置２０Ｂは、風速監視装置２０Ａから風速データＷＤ（ｔ１）を受信する（図３（ｃ１））。風速監視装置２０Ｂは、同じ時刻の風速データＷＤ（ｔ１）を風速検出装置６０から受信していないため、風速監視装置２０Ａから受信した風速データＷＤ（ｔ１）を、図１に示した記憶部４０に記憶する。このように、風速監視装置２０Ｂおよび風速検出装置６０間で通信異常等が発生した場合でも、風速監視装置２０Ａ、２０Ｂの記憶部４０には、同じ風速データＷＤ（ｔ１）がそれぞれ記憶される。
【００２８】
時刻ｔ２の風速データＷＤ（ｔ２）に対しても、上述した時刻ｔ１の風速データＷＤ（ｔ１）と同様の処理が実施される（図３（ａ２、ｂ２、ｃ２、ｄ２））。
【００２９】
図４は、図１に示した風速データ処理部３０の動作の一例を示している。以下の処理Ｓ１００−Ｓ１３０の説明では、風速監視装置２０Ａの風速データ処理部３０の動作を説明する。この場合、風速監視装置２０Ｂは、処理Ｓ１１０、Ｓ１２０における他の風速監視装置２０に対応する。なお、風速監視装置２０Ｂの風速データ処理部３０の動作は、風速監視装置２０Ｂを風速監視装置２０Ａに読み替えることで説明される。
【００３０】
処理Ｓ１００では、風速データ処理部３０は、風速検出装置６０から風速データＷＤを受信する。風速データＷＤの受信に成功した場合、風速データ処理部３０の動作は、処理Ｓ１１０に移る。処理Ｓ１１０では、風速データ処理部３０は、受信した風速データＷＤを風速監視装置２０Ｂ（他の風速監視装置２０）に送信する。
【００３１】
処理Ｓ１２０では、風速データ処理部３０は、風速検出装置６０から受信した風速データＷＤと同じ時刻の風速データＷＤを風速監視装置２０Ｂから受信済みか否かを判定する。例えば、風速データ処理部３０は、受信した風速データＷＤと同じ時刻の風速データＷＤが記憶部４０に記憶されている場合、風速監視装置２０Ｂから風速データＷＤを既に受信していると判断する。風速監視装置２０Ｂから風速データＷＤを既に受信している場合（処理Ｓ１２０のＹｅｓ）、風速データ処理部３０は、受信した風速データＷＤを記憶部４０に記憶せずに、処理を終了する。
【００３２】
一方、風速監視装置２０Ｂから風速データＷＤを受信していない場合（処理Ｓ１２０のＮｏ）、風速データ処理部３０は、受信した風速データＷＤを記憶部４０に記憶する。例えば、風速データ処理部３０は、受信した風速データＷＤと同じ時刻の風速データＷＤが記憶部４０に記憶されていない場合、受信した風速データＷＤを記憶部４０に記憶する。このように、風速データ処理部３０は、補完処理部５０が風速データＷＤを受信する前に、風速検出装置６０から風速データＷＤを受信した場合、受信した風速データＷＤを記憶部４０に記憶する。
【００３３】
図５は、図１に示した補完処理部５０の動作の一例を示している。以下の処理Ｓ２００−Ｓ２２０の説明では、風速監視装置２０Ａの補完処理部５０の動作を説明する。なお、風速監視装置２０Ｂの補完処理部５０の動作は、風速監視装置２０Ｂを風速監視装置２０Ａに読み替えることで説明される。
【００３４】
処理Ｓ２００では、補完処理部５０は、風速監視装置２０Ｂ（他の風速監視装置２０）から風速データＷＤを受信する。処理Ｓ２１０では、補完処理部５０は、風速監視装置２０Ｂから受信した風速データＷＤと同じ時刻の風速データＷＤを風速検出装置６０から受信済みか否かを判定する。例えば、補完処理部５０は、受信した風速データＷＤと同じ時刻の風速データＷＤが記憶部４０に記憶されている場合、風速検出装置６０から風速データＷＤを既に受信していると判断する。風速検出装置６０から風速データＷＤを既に受信している場合（処理Ｓ２１０のＹｅｓ）、補完処理部５０は、受信した風速データＷＤを記憶部４０に記憶せずに、処理を終了する。
【００３５】
一方、風速検出装置６０から風速データＷＤを受信していない場合（処理Ｓ２１０のＮｏ）、補完処理部５０は、受信した風速データＷＤを記憶部４０に記憶する。例えば、補完処理部５０は、受信した風速データＷＤと同じ時刻の風速データＷＤが記憶部４０に記憶されていない場合、受信した風速データＷＤを記憶部４０に記憶する。このように、補完処理部５０は、風速データ処理部３０が風速データＷＤを受信する前に、風速監視装置２０Ｂから風速データＷＤを受信した場合、受信した風速データＷＤを記憶部４０に記憶する。
【００３６】
以上、この実施形態では、風速監視装置２０Ａは、風速検出装置６０から受信した風速データＷＤを風速監視装置２０Ｂに送信し、風速監視装置２０Ｂは、風速検出装置６０から受信した風速データＷＤを風速監視装置２０Ａに送信する。これにより、２台の風速監視装置２０の一方が通信異常等により風速検出装置６０からの風速データＷＤを受信できない場合でも、他方の風速監視装置２０から風速データＷＤを補完できる。したがって、この実施形態では、２台の風速監視装置２０に記憶される風速データＷＤに、不一致が発生することを防止できる。この結果、この実施形態では、鉄道等の交通機関の運行制御を円滑に実施できる。また、２台の風速監視装置２０の一方が故障した場合でも、他方の風速監視装置２０を用いて、運行制御を円滑に実施できる。
【００３７】
図６は、別の実施形態における風速監視システムの概要を示している。この実施形態の風速監視システム１２は、上述した図１に示した風速監視装置２０（２０Ａ、２０Ｂ）の代わりに、風速監視装置２２（２２Ａ、２２Ｂ）が設けられている。その他の構成は、上述した実施形態と同じである。上述した実施形態で説明した要素と同一の要素については、同一の符号を付し、これ等については、詳細な説明を省略する。
【００３８】
各風速監視装置２２は、風速データ処理部３２、データ要求部３４、記憶部４２、退避部４６および補完処理部５２を有している。なお、風速データ処理部３２、データ要求部３４および補完処理部５２は、ソフトウエアにより実現されてもよいし、ハードウエアにより実現されてもよい。
【００３９】
風速データ処理部３２は、例えば、受信した風速データＷＤを、記憶部４２あるいは退避部４６に記憶する。その他の基本的な動作は、図１に示した風速データ処理部３０と同じである。なお、風速データ処理部３２の動作の詳細は、後述する図１０で説明する。データ要求部３４は、記憶部４２に記憶されている風速データＷＤが不足している場合、不足分の風速データＷＤの取得を要求するデータ取得要求ＲＥＱを、他の風速監視装置２２に送信する。以下、記憶部４２に記憶されていない不足分の風速データＷＤを、不足データＷＤとも称する。
【００４０】
例えば、風速監視装置２２Ａのデータ要求部３４は、風速監視装置２２Ａが停止状態から動作状態に遷移したとき、停止状態の期間に対応する風速データＷＤの取得を要求するデータ取得要求ＲＥＱを、風速監視装置２２Ｂに送信する。また、例えば、風速監視装置２２Ｂのデータ要求部３４は、風速監視装置２２Ｂが停止状態から動作状態に遷移したとき、停止状態の期間に対応する風速データＷＤの取得を要求するデータ取得要求ＲＥＱを、風速監視装置２２Ａに送信する。なお、データ要求部３４の動作の詳細は、後述する図９で説明する。
【００４１】
記憶部４２は、例えば、図１に示した記憶部４０に最終時刻領域４４が割り当てられて構成され、風速データ処理部３２、データ要求部３４および補完処理部５２に接続されている。記憶部４２のその他の構成は、図１に示した記憶部４０と同じである。なお、最終時刻領域４４は、記憶部４２と別に設けられてもよい。この場合、最終時刻領域４４は、例えば、ハードディスクや不揮発性メモリで構成され、風速データ処理部３２、データ要求部３４および補完処理部５２に接続される。最終時刻領域４４は、最後に受信した風速データＷＤの時刻情報を記憶する。退避部４６は、例えば、揮発性メモリで構成され、風速データ処理部３２および補完処理部５２に接続される。退避部４６は、風速データＷＤを一時的に記憶する。
【００４２】
補完処理部５２は、図１に示した補完処理部５０にデータ送信部５４が追加されて構成されている。例えば、データ送信部５４は、補完処理部５２がデータ取得要求ＲＥＱを受信したとき、データ取得要求ＲＥＱが示す期間の風速データＷＤを、データ取得要求ＲＥＱを送信した風速監視装置２２に送信する。なお、補完処理部５２の動作の詳細は、後述する図１１で説明する。
【００４３】
例えば、風速監視装置２２Ａのデータ送信部５４は、風速監視装置２２Ｂが停止状態から動作状態に遷移したとき、風速監視装置２２Ｂからのデータ取得要求ＲＥＱに基づく風速データＷＤを記憶部４２から読み出し、読み出した風速データＷＤを風速監視装置２２Ｂに送信する。また、例えば、風速監視装置２２Ｂのデータ送信部５４は、風速監視装置２２Ａが停止状態から動作状態に遷移したとき、風速監視装置２２Ａからのデータ取得要求ＲＥＱに基づく風速データＷＤを記憶部４２から読み出し、読み出した風速データＷＤを風速監視装置２２Ａに送信する。
【００４４】
なお、補完処理部５２は、不足分の風速データＷＤ（データ取得要求ＲＥＱに基づく風速データＷＤ）を受信したとき、不足分の風速データＷＤを記憶部４２に記憶する。そして、補完処理部５２は、不足分の風速データＷＤを記憶部４２に記憶した後に、退避部４６に記憶されている風速データＷＤを、記憶部４２に記憶する。
【００４５】
これにより、２台の風速監視装置２２は、風速データＷＤを互いに補完できる。したがって、この実施形態では、２台の風速監視装置２２に記憶される風速データＷＤを互いに一致させることができる。すなわち、この実施形態では、２台の風速監視装置２２に記憶される風速データＷＤに、不一致が発生することを防止できる。
【００４６】
なお、風速監視装置２２Ａ、２２Ｂは、互いに異なる通信パスを介して、風速検出装置６０から風速データＷＤを受信してもよいし、共通の通信パスを介して、風速検出装置６０から風速データＷＤを受信してもよい。風速監視装置２２Ａ、２２Ｂが互いに異なる通信パスを介して風速検出装置６０から風速データＷＤを受信する場合、一方の回線が断線した場合でも、他方の回線により、風速監視装置２２は、風速検出装置６０から風速データＷＤを受信できる。
【００４７】
図７は、図６に示した２台の風速監視装置２２の一方が停止した場合の風速監視システム１２の動作の一例を示している。なお、図７は、風速監視装置２２Ｂが停止した場合の風速監視システム１２の動作の一例を示している。図中の実線の矢印は、着目する１つの地点（例えば、上述した図６に示した地点ｍ）の風速検出装置６０からの風速データＷＤの流れを示し、図中の破線の矢印は、風速データＷＤの時刻情報の流れを示している。また、図中の星印は、風速監視装置２２Ｂが停止したことを示し、図中の×印は、風速監視装置２２Ｂが風速検出装置６０からの風速データＷＤを受信できないことを示している。
【００４８】
風速検出装置６０は、時刻ｔ１の風速データＷＤ（ｔ１）を風速監視装置２２Ａ、２２Ｂに送信する（図７（ａ１、ｂ１））。風速監視装置２２Ａ、２２Ｂは、風速検出装置６０から受信した風速データＷＤ（ｔ１）を、図６に示したそれぞれの記憶部４２に記憶する。この際、風速監視装置２２Ａ、２２Ｂは、風速データＷＤ（ｔ１）の時刻情報ｔ１を、それぞれの最終時刻領域４４に記憶する（図７（ｅ１））。なお、図では、風速監視装置２２Ａが時刻情報ｔ１、ｔ２、ｔ３、ｔ４を最終時刻領域４４に記憶する動作の記載を省略している。
【００４９】
そして、風速監視装置２２Ａは、風速検出装置６０から受信した風速データＷＤ（ｔ１）を、風速監視装置２２Ｂに送信する（図７（ｃ１））。また、風速監視装置２２Ｂは、風速検出装置６０から受信した風速データＷＤ（ｔ１）を、風速監視装置２２Ａに送信する（図７（ｄ１））。
【００５０】
なお、風速監視装置２２Ａは、風速監視装置２２Ｂから風速データＷＤ（ｔ１）を受信したときに（図７（ｄ１））、同じ時刻の風速データＷＤ（ｔ１）を風速検出装置６０から既に受信しているため、風速監視装置２２Ｂから受信した風速データＷＤ（ｔ１）を無視する。同様に、風速監視装置２２Ｂは、風速監視装置２２Ａから風速データＷＤ（ｔ１）を受信したときに（図７（ｃ１））、同じ時刻の風速データＷＤ（ｔ１）を既に受信しているため、風速監視装置２２Ａから受信した風速データＷＤ（ｔ１）を無視する。
【００５１】
時刻ｔ２の風速データＷＤ（ｔ２）に対しても、上述した時刻ｔ１の風速データＷＤ（ｔ１）と同様の処理が実施される（図７（ａ２、ｂ２、ｃ２、ｄ２、ｅ２））。例えば、風速監視装置２２Ａ、２２Ｂは、風速データＷＤ（ｔ２）の時刻情報ｔ２を、それぞれの最終時刻領域４４に上書きする（図７（ｅ２））。すなわち、最終時刻領域４４の内容（時刻情報）は、最後に受信した風速データＷＤの時刻情報を示している。
【００５２】
その後、風速監視装置２２Ｂは、装置ダウン等により停止する（図の星印）。したがって、風速監視装置２２Ｂは、風速データＷＤ（ｔ３）、ＷＤ（ｔ４）を受信できない（図の×印）状態である。例えば、風速検出装置６０は、時刻ｔ３の風速データＷＤ（ｔ３）を風速監視装置２２Ａ、２２Ｂに送信する（図７（ａ３、ｂ３））。風速監視装置２２Ａは、風速検出装置６０から受信した風速データＷＤ（ｔ３）を、図６に示した記憶部４２に記憶し、風速データＷＤ（ｔ３）の時刻情報ｔ３を、最終時刻領域４４に上書きする。
【００５３】
風速監視装置２２Ａは、風速検出装置６０から受信した風速データＷＤ（ｔ３）を、風速監視装置２２Ｂに送信する（図７（ｃ３））。なお、風速監視装置２２Ｂが停止状態であるため、風速監視装置２２Ｂから風速監視装置２２Ａへの風速データＷＤ（ｔ３）の送信は、実施されない。  時刻ｔ４の風速データＷＤ（ｔ４）に対しても、上述した時刻ｔ３の風速データＷＤ（ｔ３）と同様の処理が実施される（図７（ａ４、ｂ４、ｃ４））。
【００５４】
図８は、図６に示した２台の風速監視装置２２の一方が再起動した場合の風速監視システム１２の動作の一例を示している。なお、図８は、上述した図７に示した動作の後に、風速監視装置２２Ｂが再起動した場合の風速監視システム１２の動作の一例を示している。
図中の実線の矢印、星印および×印の意味は、図７と同じである。また、図中の破線の矢印は、風速データＷＤの時刻情報およびデータ取得要求ＲＥＱの流れを示し、図中の二重丸は、風速監視装置２２Ｂが再起動したことを示している。なお、図８では、風速監視装置２２Ａが時刻情報ｔ３、ｔ４、ｔ５、ｔ６を最終時刻領域４４に記憶する動作の記載を省略している。
【００５５】
風速監視装置２２Ｂが再起動した時刻（図の二重丸）では、風速監視装置２２Ｂの記憶部４２には、風速データＷＤ（ｔ１）、ＷＤ（ｔ２）が記憶されている。すなわち、風速データＷＤ（ｔ３）、ＷＤ（ｔ４）は、風速監視装置２２Ｂの記憶部４２に記憶されていない。また、風速監視装置２２Ｂの最終時刻領域４４の内容は、時刻情報ｔ２を示している。なお、風速監視装置２２Ａの記憶部４２には、風速データＷＤ（ｔ１）、ＷＤ（ｔ２）、ＷＤ（ｔ３）、ＷＤ（ｔ４）が記憶されている。なお、風速監視装置２２Ｂが再起動する前の風速監視システム１２の動作は、図７と同じため、説明を省略する。
【００５６】
風速検出装置６０は、時刻ｔ５の風速データＷＤ（ｔ５）を風速監視装置２２Ａ、２２Ｂに送信する（図８（ａ５、ｂ５））。風速監視装置２２Ａは、風速検出装置６０から受信した風速データＷＤ（ｔ５）を、記憶部４２に記憶する。この際、風速監視装置２２Ａは、風速データＷＤ（ｔ５）の時刻情報ｔ５を、最終時刻領域４４に上書きする。また、風速監視装置２２Ａは、風速検出装置６０から受信した風速データＷＤ（ｔ５）を、風速監視装置２２Ｂに送信する（図８（ｃ５））。
【００５７】
一方、風速監視装置２２Ｂは、再起動後に、最終時刻領域４４の内容（時刻情報ｔ２）を、風速監視装置２２Ｂに内蔵されるメモリ等（図示せず）に退避する（図８（ｆ））。なお、最終時刻領域４４の内容は、例えば、退避部４６の一部の領域に退避されてもよい。あるいは、最終時刻領域４４の内容が退避するバッファ等を、データ要求部３４等に設けてもよい。
【００５８】
そして、風速監視装置２２Ｂは、風速データＷＤ（ｔ３）、ＷＤ（ｔ４）が記憶部４２に記憶されていないため、風速検出装置６０から受信した風速データＷＤ（ｔ５）を、退避部４６に記憶する。この際、風速監視装置２２Ｂは、風速データＷＤ（ｔ５）の時刻情報ｔ５を、最終時刻領域４４に上書きする（図８（ｅ５））。また、風速監視装置２２Ｂは、風速検出装置６０から受信した風速データＷＤ（ｔ５）を、風速監視装置２２Ａに送信する（図８（ｄ５））。
【００５９】
さらに、風速監視装置２２Ｂは、風速データＷＤ（ｔ３）、ＷＤ（ｔ４）が記憶部４２に記憶されていないため、不足データＷＤの取得を要求するデータ取得要求ＲＥＱを、風速監視装置２２Ａに送信する（図８（ｇ））。図の例では、不足データＷＤは、風速監視装置２２Ｂの停止中に風速検出装置６０が送信した風速データＷＤ（ｔ３）、ＷＤ（ｔ４）である。
【００６０】
すなわち、データ取得要求ＲＥＱが要求する不足データＷＤ内の最古の風速データＷＤは、風速監視装置２２Ｂの停止時点の最終時刻領域４４の内容（時刻ｔ２）に集約時間を加算した時刻（時刻ｔ３）の風速データＷＤ（ｔ３）である。また、データ取得要求ＲＥＱが要求する不足データＷＤ内の最新の風速データＷＤは、風速監視装置２２Ｂの再起動後の最終時刻領域４４の内容（時刻ｔ５）から集約時間を減算した時刻（時刻ｔ４）の風速データＷＤ（ｔ４）である。
【００６１】
データ取得要求ＲＥＱを受信した風速監視装置２２Ａは、データ取得要求ＲＥＱにより指定された期間の風速データＷＤ（ｔ３）、ＷＤ（ｔ４）を、風速監視装置２２Ｂに送信する（図８（ｈ））。風速監視装置２２Ｂは、風速監視装置２２Ａから受信した不足データＷＤ（ｔ３）、ＷＤ（ｔ４）を、記憶部４２に記憶する。その後、風速監視装置２２Ｂは、退避領域４６に記憶されている風速データＷＤ（ｔ５）を、記憶部４２に記憶する。これにより、風速監視装置２２Ｂは、不足データＷＤを補完できる。すなわち、風速監視装置２２Ａ、２２Ｂは、記憶部４２に記憶される風速データＷＤに、不一致が発生することを防止できる。
【００６２】
なお、風速監視装置２２Ａは、風速監視装置２２Ｂから風速データＷＤ（ｔ５）を受信したときに（図８（ｄ５））、同じ時刻の風速データＷＤ（ｔ５）を風速検出装置６０から既に受信しているため、風速監視装置２２Ｂから受信した風速データＷＤ（ｔ５）を無視する。同様に、風速監視装置２２Ｂは、風速監視装置２２Ａから風速データＷＤ（ｔ５）を受信したときに（図８（ｃ５））、同じ時刻の風速データＷＤ（ｔ５）を既に受信しているため、風速監視装置２２Ａから受信した風速データＷＤ（ｔ５）を無視する。
【００６３】
時刻ｔ６の風速データＷＤ（ｔ６）に対しては、上述した図７に示した時刻ｔ１の風速データＷＤ（ｔ１）と同様の処理が実施される（図８（ａ６、ｂ６、ｃ６、ｄ６、ｅ６））。
【００６４】
ここで、例えば、風速監視装置２２Ａ、２２Ｂは、受信した風速データＷＤを用いて、風速値や平均風速値（例えば、１０分間の平均値）をグラフ化する機能等を有している。したがって、再起動時に不足データＷＤが補完されない構成では、二重化された風速監視装置の一方で算出される平均風速値と他方で算出される平均風速値とが異なるため、再起動された風速監視装置を参照した場合、誤った判断で運行制御が実施されるおそれがある。これに対し、この実施形態では、風速監視装置２２Ｂを再起動した場合でも、風速監視装置２２Ａ、２２Ｂに記憶される風速データＷＤが互いに一致しているため、風速監視装置２２Ａ、２２Ｂのいずれが参照されても、正しい判断で運行制御を実施できる。
【００６５】
図９は、図６に示したデータ要求部３４の動作の一例を示している。以下の処理Ｓ３００−Ｓ３３０の説明では、風速監視装置２２Ａのデータ要求部３４の動作を説明する。なお、風速監視装置２２Ｂのデータ要求部３４の動作は、風速監視装置２２Ａ、２２Ｂを風速監視装置２２Ｂ、２２Ａにそれぞれ読み替えることで説明される。処理Ｓ３００−Ｓ３３０は、風速監視装置２２Ａが停止状態から動作状態に遷移する度に実施される。
【００６６】
処理Ｓ３００では、データ要求部３４は、風速監視装置２２Ａが停止状態から動作状態に遷移したときに、フラグＦＬＡＧ１を”ＯＮ”に設定する。例えば、フラグＦＬＡＧ１の”ＯＮ”は、不足データＷＤの未受信を示し、フラグＦＬＡＧ１の”ＯＦＦ”は、不足データＷＤの受信済みを示している。
【００６７】
処理Ｓ３１０では、データ要求部３４は、最終時刻領域４４の内容（時刻情報）を風速監視装置２２Ａに内蔵されるメモリ等に退避する。これにより、データ要求部３４は、データ取得要求ＲＥＱを生成する際に、風速監視装置２２Ａが停止する前に受信した風速データＷＤの最終時刻を検出できる。
【００６８】
処理Ｓ３２０では、データ要求部３４は、風速監視装置２２Ａが風速データＷＤを受信したか否かを判定し、風速監視装置２２Ａが風速データＷＤを受信するまで待機する。例えば、データ要求部３４は、最終時刻領域４４が更新されたとき、風速データＷＤを受信したと判断する。あるいは、データ要求部３４は、退避部４６に風速データＷＤが記憶されたとき、風速データＷＤを受信したと判断する。風速監視装置２２Ａが風速データＷＤを受信した場合（処理Ｓ３２０のＹｅｓ）、データ要求部３４の動作は、処理Ｓ３３０に移る。
【００６９】
処理Ｓ３３０では、データ要求部３４は、不足データＷＤの取得を要求するデータ取得要求ＲＥＱを、風速監視装置２２Ｂに送信する。データ取得要求ＲＥＱは、不足データＷＤの開始時刻情報および終了時刻情報を有している。例えば、データ要求部３４は、処理Ｓ３１０において退避した時刻情報に集約時間を加算することにより、不足データＷＤの開始時刻情報を算出し、最終時刻領域４４に記憶されている時刻情報から集約時間を減算することにより、不足データＷＤの終了時刻情報を算出する。
【００７０】
図１０は、図６に示した風速データ処理部３２の動作の一例を示している。以下の処理Ｓ１００−Ｓ１３２の説明では、風速監視装置２２Ａの風速データ処理部３２の動作を説明する。この場合、風速監視装置２２Ｂは、処理Ｓ１１０、Ｓ１２０における他の風速監視装置２２に対応する。なお、風速監視装置２２Ｂの風速データ処理部３２の動作は、風速監視装置２２Ｂを風速監視装置２２Ａに読み替えることで説明される。この実施形態の風速データ処理部３２の動作は、上述した図４に示した動作に、処理Ｓ１２２、Ｓ１２４、Ｓ１３２が追加されている。風速データ処理部３２のその他の動作は、図４と同じため、詳細な説明を省略する。
【００７１】
例えば、風速監視装置２２Ｂから風速データＷＤを既に受信している場合（処理Ｓ１２０のＹｅｓ）、風速データ処理部３２は、受信した風速データＷＤを記憶部４２および退避部４６のいずれにも記憶せずに、処理を終了する。また、例えば、風速監視装置２２Ｂから風速データＷＤを受信していない場合（処理Ｓ１２０のＮｏ）、風速データ処理部３２の動作は、処理Ｓ１２２に移る。
【００７２】
処理Ｓ１２２では、風速データ処理部３２は、最終時刻情報４４の内容を、受信した風速データＷＤの時刻情報に更新する。処理Ｓ１２４では、風速データ処理部３２は、フラグＦＬＡＧ１が”ＯＮ”か否かを判定する。フラグＦＬＡＧ１が”ＯＮ”でない場合（処理Ｓ１２４のＮｏ）、風速データ処理部３２は、処理Ｓ１３０において、受信した風速データＷＤを記憶部４２に記憶する。
【００７３】
一方、フラグＦＬＡＧ１が”ＯＮ”の場合（処理Ｓ１２４のＹｅｓ）、風速データ処理部３２は、処理Ｓ１３２において、受信した風速データＷＤを退避部４２に記憶する。すなわち、風速データ処理部３２は、不足データＷＤの補完が完了するまで、受信した風速データＷＤを退避部４２に記憶する。
【００７４】
図１１は、図６に示した補完処理部５２の動作の一例を示している。以下の処理Ｓ２０２−Ｓ２４２の説明では、風速監視装置２２Ａの補完処理部５２の動作を説明する。なお、風速監視装置２２Ｂの補完処理部５２の動作は、風速監視装置２２Ａ、２２Ｂを風速監視装置２２Ｂ、２２Ａにそれぞれ読み替えることで説明される。
【００７５】
処理Ｓ２０２では、補完処理部５２は、風速データＷＤ、不足データＷＤおよびデータ取得要求ＲＥＱのいずれかを、風速監視装置２２Ｂ（他の風速監視装置２２）から受信する。処理Ｓ２０４では、補完処理部５２は、受信したデータが風速データＷＤか否かを判定する。受信したデータが風速データＷＤの場合（処理Ｓ２０４のＹｅｓ）、補完処理部５２の動作は、処理Ｓ２１０に移り、受信したデータが風速データＷＤでない場合（処理Ｓ２０４のＮｏ）、補完処理部５２の動作は、処理Ｓ２３０に移る。
【００７６】
処理Ｓ２１０では、補完処理部５２は、風速監視装置２２Ｂから受信した風速データＷＤと同じ時刻の風速データＷＤを風速検出装置６０から受信済みか否かを判定する。例えば、補完処理部５２は、受信した風速データＷＤの時刻情報が最終時刻領域４４に記憶されている時刻情報と同じ場合、風速検出装置６０から風速データＷＤを既に受信していると判断する。
【００７７】
風速検出装置６０から風速データＷＤを既に受信している場合（処理Ｓ２１０のＹｅｓ）、補完処理部５２は、受信した風速データＷＤを記憶部４２および退避部４６のいずれにも記憶せずに、処理を終了する。一方、風速検出装置６０から風速データＷＤを受信していない場合（処理Ｓ２１０のＮｏ）、補完処理部５２の動作は、処理２１２に移る。
【００７８】
処理Ｓ２１２では、補完処理部５２は、最終時刻情報４４の内容を、受信した風速データＷＤの時刻情報に更新する。処理Ｓ２１４では、補完処理部５２は、フラグＦＬＡＧ１が”ＯＮ”か否かを判定する。フラグＦＬＡＧ１が”ＯＮ”でない場合（処理Ｓ２１４のＮｏ）、補完処理部５２は、処理Ｓ２２０において、受信した風速データＷＤを記憶部４２に記憶する。一方、フラグＦＬＡＧ１が”ＯＮ”の場合（処理Ｓ２１４のＹｅｓ）、補完処理部５２の動作は、処理Ｓ２２２に移る。
【００７９】
処理Ｓ２２２では、補完処理部５２は、受信した風速データＷＤを退避部４２に記憶する。すなわち、補完処理部５２は、不足データＷＤの補完が完了するまで、受信した風速データＷＤを退避部４２に記憶する。このように、補完処理部５２は、風速データ処理部３２が風速データＷＤを受信する前に、風速監視装置２２Ｂから風速データＷＤを受信した場合、受信した風速データＷＤを記憶部４２および退避部４６のいずれかに記憶する。
【００８０】
処理Ｓ２３０（受信したデータが風速データＷＤでない場合）では、補完処理部５２は、受信したデータが不足データＷＤか否かを判定する。受信したデータが不足データＷＤの場合（処理Ｓ２３０のＹｅｓ）、補完処理部５２の動作は、処理Ｓ２３２に移り、受信したデータが不足データＷＤでない場合（処理Ｓ２３０のＮｏ）、補完処理部５２の動作は、処理Ｓ２４０に移る。
【００８１】
処理Ｓ２３２では、補完処理部５２は、受信した不足データＷＤを記憶部４２に記憶する。これにより、風速監視装置２２Ａの起動時に不足していた風速データＷＤが補完される。処理Ｓ２３４では、補完処理部５２は、退避部４６に記憶されている風速データＷＤを記憶部４２に記憶する。処理Ｓ２３６では、補完処理部５２は、フラグＦＬＡＧ１を”ＯＦＦ”に設定する。これにより、不足データＷＤの補完が完了する。
【００８２】
処理Ｓ２４０（受信したデータが不足データＷＤでない場合）では、補完処理部５２は、受信したデータがデータ取得要求ＲＥＱか否かを判定する。受信したデータがデータ取得要求ＲＥＱの場合（処理Ｓ２４０のＹｅｓ）、補完処理部５２の動作は、処理Ｓ２４２に移り、受信したデータがデータ取得要求ＲＥＱでない場合（処理Ｓ２４０のＮｏ）、補完処理部５２の動作は、終了する。
【００８３】
処理Ｓ２４２では、補完処理部５２（より詳細には、データ送信部５４）は、記憶部４２に記憶されている風速データＷＤのうち、受信したデータ取得要求ＲＥＱが示す範囲に含まれる風速データＷＤを風速監視装置２２Ｂに送信する。すなわち、データ送信部５４は、風速監視装置２２Ｂがデータ取得要求ＲＥＱを風速監視装置２２Ａに送信した場合に、受信したデータ取得要求ＲＥＱが示す期間の風速データＷＤを、風速監視装置２２Ｂに送信する。
【００８４】
以上、この実施形態においても、上述した図１−図５で説明した実施形態と同様の効果を得ることができる。さらに、この実施形態では、各風速監視装置２２は、データ要求部３４、最終時刻領域４４、退避部４６およびデータ送信部５４を含んで構成されている。これにより、この実施形態では、起動時の不足データを補完できる。この結果、この実施形態では、二重化された風速監視装置２２の一方が再起動等した場合でも、２台の風速監視装置２２に記憶される風速データＷＤに、不一致が発生することを防止できる。
【００８５】
なお、上述した図６−図１１で説明した実施形態では、補完処理部５２がデータ送信部５４を含んで構成される例について述べた。本発明は、かかる実施形態に限定されるものではない。例えば、データ送信部５４は、補完処理部５２内に設けられなくてもよい。あるいは、補完処理部５２は、データ要求部３４およびデータ送信部５４を含んで構成されてもよい。この場合にも、上述した実施形態と同様の効果を得ることができる。
【００８６】
上述した図６−図１１で説明した実施形態では、風速監視装置２２が最終時刻領域４４を有する例について述べた。本発明は、かかる実施形態に限定されるものではない。例えば、風速監視装置２２は、最終時刻領域４４を省いて構成されてもよい。この場合、例えば、データ要求部３４は、上述した図９に示した処理Ｓ３１０において、記憶部４２に記憶されている最新の風速データＷＤの時刻情報を、風速監視装置２２Ａに内蔵されるメモリ等に記憶する。そして、例えば、データ要求部３４は、退避部４６に最初に記憶される風速データＷＤの時刻情報を、データ取得要求ＲＥＱで要求する不足データＷＤの終了時刻情報を算出する際に使用する。この場合にも、上述した実施形態と同様の効果を得ることができる。
【００８７】
上述した図６−図１１で説明した実施形態では、風速データ処理部３２が風速データＷＤを他の風速監視装置２２に送信する例について述べた。本発明は、かかる実施形態に限定されるものではない。例えば、風速データ処理部３２は、風速データＷＤを受信する度に、受信した風速データＷＤを他の風速監視装置２２に送信しなくてもよい。この場合にも、二重化された風速監視装置２２の一方が再起動等したとき、２台の風速監視装置２２に記憶される風速データＷＤに、不一致が発生することを防止できる。また、例えば、風速データ処理部３２は、他の風速監視装置２２の風速データ処理部３２が風速データＷＤを受信できない期間のみ、受信した風速データＷＤを他の風速監視装置２２に送信してもよい。この場合にも、上述した実施形態と同様の効果を得ることができる。
【００８８】
上述した図６−図１１で説明した実施形態では、図９に示した処理Ｓ３００（フラグＦＬＡＧ１の”ＯＮ”設定）および処理Ｓ３１０（最終時刻領域４４の内容退避）が、データ要求部３４により実施される例について述べた。本発明は、かかる実施形態に限定されるものではない。例えば、図９に示した処理Ｓ３００（フラグＦＬＡＧ１の”ＯＮ”設定）および処理Ｓ３１０（最終時刻領域４４の内容退避）は、風速データ処理部３２や補完処理部５２等により実施されてもよい。この場合にも、上述した実施形態と同様の効果を得ることができる。
【００８９】
以上、本発明について詳細に説明してきたが、上記の実施形態およびその変形例は発明の一例に過ぎず、本発明はこれに限定されるものではない。本発明を逸脱しない範囲で変形可能であることは明らかである。
【産業上の利用可能性】
【００９０】
本発明は、風速監視システムに利用できる。
【符号の説明】
【００９１】
１０、１２‥風速監視システム；２０、２２‥風速監視装置；３０、３２‥風速データ処理部；３４‥データ要求部；４０、４２‥記憶部；４４‥最終時刻領域；４６‥退避部；５０、５２‥補完処理部；５４‥データ送信部；６０‥風速検出装置；６２‥風速計
【図１】
2011007675.tif 000003
【図２】
2011007675.tif 000004
【図３】
2011007675.tif 000005
【図４】
2011007675.tif 000006
【図５】
2011007675.tif 000007
【図６】
2011007675.tif 000008
【図７】
2011007675.tif 000009
【図８】
2011007675.tif 000010
【図９】
2011007675.tif 000011
【図１０】
2011007675.tif 000012
【図１１】
2011007675.tif 000013